(57)【特許請求の範囲】
【請求項１】
筒形状を有し、該筒の周方向に回転し、該筒がつぶれる方向に弾性変形する筒部材と、
筒形状を有し、該筒の周方向に循環移動し、前記筒部材よりも可撓性が高く、該筒部材に押し付けられる循環部材と、
表面に未定着のトナー像を保持し前記筒部材と前記循環部材とに挟み込まれる記録媒体を加熱するための熱源と、
前記循環部材の筒内に設けられ、該循環部材を内側から前記筒部材に押し付ける押付部材と、
前記循環部材の筒内に設けられ、前記押付部材よりも該循環部材の移動方向の上流側で、前記記録媒体の端部を央部よりも大きく該筒部材側へと押し出すよう、前記筒部材に押し付けられる前の該循環部材の筒の端部を央部よりも大きく、内側から該筒部材側へと押し出す押出部材と、
を備えたことを特徴とする定着器。
【請求項２】
前記押付部材と前記押出部材が互いに一体の部材であることを特徴とする請求項１記載の定着器。
【請求項３】
前記押付部材および前記押出部材は、前記循環部材を押す面が、該押付部材および該押出部材に対する該循環部材の潤滑性を高める潤滑部材で覆われていることを特徴とする請求項１記載の定着器。
【請求項４】
筒形状を有し、該筒の周方向に回転し、該筒がつぶれる方向に弾性変形する筒部材と、
筒形状を有し、該筒の周方向に循環移動し、前記筒部材よりも可撓性が高く、該筒部材に外周面が押し付けられる循環部材と、
表面に未定着のトナー像を保持し前記筒部材と前記循環部材とに挟み込まれる記録媒体を加熱するための熱源と、
前記循環部材の筒内に設けられ、該循環部材を前記筒部材に押し付ける押付部材と、
前記循環部材の筒内に設けられ、前記押付部材よりも該循環部材の移動方向の上流側で、前記記録媒体の端部を央部よりも大きく該筒部材側へと押し出すよう、前記筒部材に押し付けられる前の該循環部材の筒の端部を央部よりも大きく、内側から該筒部材側へと押し出す押出部材と、
を備え、
前記押付部材と前記押出部材が互いに一体の部材であり、
前記押付部材および前記押出部材は、前記循環部材を押す面が、該押付部材および該押出部材に対する該循環部材の潤滑性を高める潤滑部材で覆われている定着器；および
上記記録媒体の表面に未定着の上記トナー像を形成する像形成器；
を備えたことを特徴とする画像形成装置。
【発明の詳細な説明】
【技術分野】
【０００１】
本発明は、定着器および画像形成装置に関する。
【背景技術】
【０００２】
従来より、電子写真方式の画像形成装置として、未定着のトナー像を記録媒体上に定着させる定着器を備えたものが知られている。
【０００３】
例えば特許文献１には、金属円筒状の加熱定着部材が定着領域で加圧定着部材に接触して弾性変形し、定着領域以外では円筒形状に弾性復元する技術が提案されている。
【０００４】
また、例えば特許文献２には、加熱手段と加圧手段とが圧接してニップ部を形成し、ニップ部の入り口側では、両端部より中央部の方の空隙を小さくするという技術が提案されている。
【先行技術文献】
【特許文献】
【０００５】
【特許文献１】特開２０１０−００２７７３号公報
【特許文献２】特開２００９−０６９２２６号公報
【発明の概要】
【発明が解決しようとする課題】
【０００６】
本発明は、記録媒体の皺が抑制された定着器および画像形成装置を提供することを目的とする。
【課題を解決するための手段】
【０００７】
請求項１に係る定着器は、
筒形状を有し、その筒の周方向に回転し、その筒がつぶれる方向に弾性変形する筒部材と、
筒形状を有し、その筒の周方向に循環移動し、上記筒部材よりも可撓性が高く、その筒部材に押し付けられる循環部材と、
表面に未定着のトナー像を保持し上記筒部材と上記循環部材とに挟み込まれる記録媒体を加熱するための熱源と、
上記循環部材の筒内に設けられ、その循環部材を内側から上記筒部材に押し付ける押付部材と、
上記循環部材の筒内に設けられ、上記押付部材よりもその循環部材の移動方向の上流側で、上記記録媒体の端部を央部よりも大きく筒部材側へと押し出すよう、上記筒部材に押し付けられる前の循環部材の筒の端部を央部よりも大きく、内側から筒部材側へと押し出す押出部材と、
を備えたことを特徴とする。
請求項２に係る定着器は、
上記押付部材と上記押出部材が互いに一体の部材であることを特徴とする。
請求項３に係る定着器は、
上記押付部材および上記押出部材は、上記循環部材を押す面が、押付部材および押出部材に対する循環部材の潤滑性を高める潤滑部材で覆われていることを特徴とする。
【０００８】
請求項４に係る画像形成装置は、
筒形状を有し、その筒の周方向に回転し、その筒がつぶれる方向に弾性変形する筒部材と、
筒形状を有し、その筒の周方向に循環移動し、上記筒部材よりも可撓性が高く、その筒部材に押し付けられる循環部材と、
表面に未定着のトナー像を保持し上記筒部材と上記循環部材とに挟み込まれる記録媒体を加熱するための熱源と、
上記循環部材の筒内に設けられ、その循環部材を内側から上記筒部材に押し付ける押付部材と、
上記循環部材の筒内に設けられ、上記押付部材よりもその循環部材の移動方向の上流側で、上記記録媒体の端部を央部よりも大きく筒部材側へと押し出すよう、上記筒部材に押し付けられる前の循環部材の筒の端部を央部よりも大きく、内側から筒部材側へと押し出す押出部材と、
を備え、
前記押付部材と前記押出部材が互いに一体の部材であり、
前記押付部材および前記押出部材は、前記循環部材を押す面が、該押付部材および該押出部材に対する該循環部材の潤滑性を高める潤滑部材で覆われている定着器；および
上記記録媒体の表面に未定着の上記トナー像を形成する像形成器；
を備えたことを特徴とする。
【発明の効果】
【０００９】
請求項１に係る定着器および請求項４に係る画像形成装置によれば、押出部材を備えない場合に較べて記録媒体の皺が抑制される。
【図面の簡単な説明】
【００１０】
【図１】本発明の画像形成装置の第１実施形態に相当するプリンタを示す概略構成図である。
【図２】定着器内の主要構造部分を示す斜視図である。
【図３】加圧構造体の構造を示す分解斜視図である。
【図４】定着器の中央部における断面図である。
【図５】定着器の端部における断面図である。
【図６】定着ロールと加圧ブロックの変形状態を示す概念図である。
【図７】定着器を通過する用紙の状態を示す図である。
【図８】本発明の第２実施形態における加圧構造体の構造を示す分解斜視図である。
【図９】本発明の第２実施形態における定着器の中央部の断面図である。
【図１０】本発明の第２実施形態における定着器の端部の断面図である。
【発明を実施するための形態】
【００１１】
本発明の実施形態について、以下図面を参照して説明する。
【００１２】
図１は、本発明の画像形成装置の第１実施形態に相当するプリンタを示す概略構成図である。
【００１３】
図１に示すプリンタ１００は、イエロー（Ｙ）、マゼンタ（Ｍ）、シアン（Ｃ）および、ブラック（Ｋ）の各色毎の画像形成部１０Ｙ，１０Ｍ，１０Ｃ，１０Ｋを並列的に配置してなるタンデム型のカラープリンタであり、単色の画像をプリントすることができるほか、４色のトナー像からなるフルカラーの画像をプリントすることができる。また、このプリンタ１００は、用紙すなわち紙の記録媒体のみならず、ＯＨＰシートに代表される樹脂の記録媒体にも対応した装置であるが、以下の説明では、特に断らない限り、用紙で記録媒体を代表させて説明しているものとする。
【００１４】
プリンタ１００には、４つの画像形成部１０Ｙ，１０Ｍ，１０Ｃ，１０Ｋに対して１つの露光器１３が備えられている。
【００１５】
４つの画像形成部１０Ｙ，１０Ｍ，１０Ｃ，１０Ｋは、サイズや材質も含めて同様の構成を有しているため、これらを代表してイエローに対応する画像形成部１０Ｙを取り上げて説明する。画像形成部１０Ｙは、感光体１１Ｙ、帯電器１２Ｙ、現像器１４Ｙ、一次転写器１５Ｙ、および感光体クリーナ１６Ｙを備えている。
【００１６】
感光体１１Ｙは、円筒形状を有して図１の奥行き方向に延伸しており、表面の帯電により電荷を保持し露光によりその電荷を放出してその表面に静電潜像が形成される。感光体１１Ｙは、表面に形成される像（静電潜像やトナー像）を保持して円筒の軸周りに矢印Ａで示す向きに回転する。帯電器１２Ｙ、現像器１４Ｙ、一次転写器１５Ｙ、および感光体クリーナ１６Ｙは、感光体１１Ｙの周囲に順次配置されている。
【００１７】
帯電器１２Ｙは、感光体１１Ｙの表面に接触して回転する帯電ロールを備えており、その帯電ロールで感光体１１Ｙの表面に電荷を付与することによってその表面を帯電させる。なお、帯電器１２Ｙとしては、帯電ロールの他に、感光体に非接触のコロナ放電器なども採用され得る。
【００１８】
露光器１３は、プリンタ１００外部から供給される画像信号に応じて変調されたレーザ光を発光する発光器と、レーザ光で感光体１１Ｙを走査するための回転多面鏡とを有しており、感光体１１Ｙにレーザ光を照射することで、感光体１１Ｙの表面を露光して静電的な潜像を形成する。なお、露光器１３としては、レーザ光を用いる方式の他に、走査方向に沿って多数のＬＥＤが並んだＬＥＤアレイなども採用され得る。
【００１９】
現像器１４Ｙは、トナーと磁性キャリアとからなる二成分現像剤を用いて感光体１１Ｙ表面の潜像を現像する。現像器１４Ｙには、図示を省略したトナーカートリッジからトナーが適宜に供給される。トナーは現像器１４Ｙ内の磁性キャリアと混合されて撹拌されることで帯電する。現像器１４Ｙは、現像剤中の帯電トナーで感光体１１Ｙ表面の潜像を現像する。この現像によって感光体１１Ｙ表面にはトナー像が形成される。
【００２０】
一次転写器１５Ｙは、中間転写ベルト３０を挟んで感光体１１Ｙに対向したロールである。一次転写器１５Ｙは、表面に導電性の弾性層を有しており、トナーの帯電極性とは逆極性の電圧が印加されることで感光体１１Ｙ上のトナー像を中間転写ベルト３０に静電吸引させる。
【００２１】
感光体クリーナ１６Ｙは、感光体１１Ｙ表面に接触する清掃ブレードを有しており、転写後に感光体１１Ｙの表面を清掃する。より具体的には、清掃ブレードによって感光体１１Ｙ表面の残留トナーや外添剤や紙粉が掻き落とされる。なお、感光体クリーナ１６Ｙとしては、清掃ブレードを有する方式の他に、帯電ブラシや不織布で清掃する方式も採用され得る。
【００２２】
プリンタ１００には、中間転写ベルト３０、定着器６０、および、用紙搬送部８０も備えられている。中間転写ベルト３０は、帯電防止剤を含んだ樹脂材料からなる無端のベルトである。中間転写ベルト３０は、ベルト支持ロール３１〜３３に架け渡されており、画像形成部１０Ｙ，１０Ｍ，１０Ｃ，１０Ｋおよび二次転写器５０を経由する矢印Ｂに示す方向に循環移動する。中間転写ベルト３０には画像形成部１０Ｙ，１０Ｍ，１０Ｃ，１０Ｋから各色のトナー像が転写される。中間転写ベルト３０は、これら各色のトナー像を保持して移動する。
【００２３】
用紙搬送部８０は、用紙収容器Ｔに収容された用紙を取り出す取出ロール８１、取り出された用紙を捌く捌きロール８２、用紙を搬送する搬送ロール８３、用紙を二次転写器５０に搬送するレジストレーションロール８４、および、用紙を外部に排出する排出ロール８６を備えている。用紙収容器Ｔに収容された用紙は取出ロール８１によって取り出され、捌きロール８２によって１枚ずつに捌かれる。その後、用紙は搬送ロール８３によって矢印Ｃ方向に搬送されてレジストレーションロール８４に到達する。レジストレーションロール８４は、中間転写ベルト３０上のトナー像が、二次転写器５０に対面した位置に達するタイミングに合わせてその位置に到達するように用紙を送り出す。
【００２４】
二次転写器５０は、ベルト支持ロール３１〜３３の一つであるバックアップロール３２との間に中間転写ベルト３０および用紙を挟んで回転するロールである。二次転写器５０は、表面に導電性の弾性層を有し、トナーの帯電極性とは逆極性の電圧が印加されることで、中間転写ベルト３０上のトナー像を用紙に静電吸引させる。
【００２５】
画像形成部１０Ｙ，１０Ｍ，１０Ｃ，１０Ｋと中間転写ベルト３０と二次転写器５０とを合わせたものが、本発明にいう像形成器の一例に相当する。
【００２６】
トナー像の転写を受けた用紙は、搬送ロール８３によってさらに矢印Ｄ方向に搬送されて定着器６０に突入する。定着器６０の内部には、定着ロール６１および加圧構造体６２が備えられており、定着ロール６１には加熱器６３が内蔵されている。定着器６０は、定着前のトナー像が形成された用紙を、定着ロール６１および加圧構造体６２の間に挟んで通過させ、加熱器６３によって用紙を加熱することによりトナー像を用紙上に定着させる。定着器６０は、本発明の定着器の一実施形態に相当する。
【００２７】
定着器６０を通過した用紙は、排出ロール８６に向かって矢印Ｅ方向に進み、その排出ロール８６によって更に搬送されて排紙台７０上に排出される。
【００２８】
次に定着器６０の詳細について説明する。
【００２９】
図２は、定着器内の主要構造部分を示す斜視図である。
【００３０】
上述したように、定着器内には定着ロール６１と加圧構造体６２が備えられ、定着ロール６１には加熱器６３が内蔵されている。
【００３１】
定着ロール６１は金属製の筒の外周面に離型材料がコーティングされたものであり、両端それぞれを定着ロール支持体６４によって回転自在に支持されている。また、定着ロール６１の一端には駆動ギア６７が組み付けられており、この駆動ギア６７を介して定着ロール６１は回転駆動力を受けて矢印Ｆ方向に回転する。定着ロール６１が、本発明にいう筒部材の一例に相当し、定着ロールに内蔵された加熱器が、本発明にいう熱源の一例に相当する。
【００３２】
加圧構造体６２は両端それぞれを加圧アーム６５によって支持されている。そして、加圧アーム６５が加圧ばね６６によって定着ロール支持体６４に向かって付勢されていることにより、加圧構造体６２は定着ロール６１に強く押し付けられている。後述するように、加圧構造体６２の表面はベルトになっていて、定着ロール６１の回転に伴ってそのベルトが矢印Ｇ方向に循環移動する。その結果、加圧構造体６２と定着ロール６１とに挟まれた用紙は図の手前側に送り出されることとなる。
【００３３】
図３は、加圧構造体６２の構造を示す分解斜視図である。
【００３４】
加圧構造体６２は、ベルト６２１、ベルト案内部材６２２、支持部材６２３、加圧ブロック６２４、潤滑シート６２５、および端面カバー６２６を備えている。ベルト６２１は、全体として棒形状となった加圧構造体６２の周面を成す部材であり、上述したように、定着ロール６１の回転に伴って循環移動する。このベルト６２１が、本発明にいう循環部材の一例に相当する。
【００３５】
ベルト案内部材６２２はベルト６２１のそのような循環移動をベルト６２１内で案内する部材である。但し、ベルト６２１は無張架の状態で循環移動しており、ベルト案内部材６２２による案内も緩やかな案内である。支持部材６２３はベルト案内部材６２２に嵌め込まれて加圧ブロック６２４を支持する。加圧ブロック６２４は、支持部材６２３に支持されてベルト６２１を内部から押すことで、ベルト６２１を定着ロール６１（図２参照）に押し付ける。この加圧ブロック６２４が、本発明にいう押付部材の一例と押出部材の一例とを兼ねたものに相当する。
【００３６】
潤滑シート６２５は、加圧ブロック６２４を覆うことで、加圧ブロック６２４に対するベルト６２１の潤滑性を高める部材である。
【００３７】
加圧ブロック６２４によってベルト６２１が定着ロール６１に押し付けられることで、加圧構造体６２と定着ロール６１との間にはニップ領域が形成される。
【００３８】
図４は、定着器の中央部における断面図であり、図５は、定着器の端部における断面図である。
【００３９】
図４，５に示すように、ニップ領域Ｒは、加圧ブロック６２４上のニップ支持部６２７と定着ロール６１との間に形成される。このニップ支持部６２７は、定着ロール６１の回転方向Ｆおよびベルト６２１の循環移動方向Ｇで、加圧ブロック６２４内の下流側に位置する部分であり、本発明にいう押付部材の一例としての役割を果たす。また、ニップ支持部６２７に対し、定着ロール６１の移動方向Ｆおよびベルト６２１の循環移動方向Ｇの上流側には、ベルト押出部６２８が設けられている。このベルト押出部６２８は、ニップ領域Ｒの上流でベルト６２１を定着ロール６１側に押し出しており、本発明にいう押出部材の一例としての役割を果たす。また、ベルト押出部６２８によるベルト６２１の押し出しは、図５に示す端部の方が図４に示す中央部よりも大きい。
【００４０】
このような加圧ブロック６２４によってベルト６２１が定着ロール６１に押し付けられることによって、定着ロール６１は、筒がつぶれる方向に弾性変形すると共に、筒の両端に対して央部が撓む方向にも弾性変形する。一方で、加圧ブロック６２４も、定着ロール６１に押し付けられることによって、両端に対して央部が撓む方向に弾性変形する。
【００４１】
図６は、定着ロール６１と加圧ブロック６２４の変形状態を示す概念図である。但し、図６では、上下方向が図１、２とは逆方向で示されている。
【００４２】
定着ロール６１は、両端が支持された状態で加圧ブロック６２４からの力を受けるので央部が撓む方向に弾性変形する。加圧ブロック６２４のニップ支持部６２７は、定着ロール６１周面に対する加圧力が央部から端部までほぼ同等となるように、央部が端部よりも厚めに形成されている（図４，５も参照）。そして、加圧ブロック６２４は、その加圧ブロック６２４を支持した支持部材６２３とともに、央部が撓む方向に弾性変形する。定着ロール６１と加圧ブロック６２４のこのような撓み変形は、定着ロール６１とニップ支持部６２７との間を通過するベルト６２１（図６には図示せず。図４，５参照）や用紙にも、図の上方側（即ち定着ロール６１側）に凸となる曲げ変形を生じさせる。
【００４３】
加圧ブロック６２４のベルト押出部６２８は、そのような曲げ変形を生じるニップ領域よりも上流で、定着ロール６１側へと突き出しており、ニップ領域に突入する前のベルト６２１や用紙の端部を、その曲げ変形を抑制する方向に押し出す。このため、ベルト６２１や用紙の曲げ変形は、ニップ領域に突入する直前まで小さい。図６に示す例では、ベルト押出部６２８による押し出しは、ニップ領域における曲げ変形をちょうど打ち消す程度の押し出しとなっているので、ベルト押出部６２８上を通過する際にはベルト６２１や用紙がほぼ平坦になっている。
【００４４】
図７は、定着器を通過する用紙の状態を示す図である。図７の上下方向は図６と同方向であり、図１，２とは逆方向である。
【００４５】
図７のパート（Ａ）には、ニップ領域に挟まれたことで用紙に生じる曲げ変形が示されている。用紙には、図の上側が凸となる方向の曲げ変形が生じている。このような曲げ変形によって用紙は、図に矢印で示された方向のコシが発生する。
【００４６】
図７のパート（Ｂ）には、定着器のニップ領域に用紙の前方部分が挟まれていると共に、用紙の後方は搬送ロールに挟まれている状態が示されている。図１に示すように、定着器６０を通過する用紙の経路は、定着ロール６１を内側にして曲がる経路となっている。そして、定着器６０の手前の搬送ロール８３によって矢印Ｄ方向に搬送されながら定着器６０のニップ領域にも用紙の一部が到達する。この位置関係を図７で言うと、図の奥側に位置する用紙先端がニップ領域に達している時に、図の手前側に位置する用紙後端が図の上方へと引かれている位置関係になる。用紙の後端側がこのような方向に向いていると、上述したコシの影響で用紙が曲がりにくいので、用紙の中央部分での皺発生を抑制する工夫が望まれる。
【００４７】
図７のパート（Ｃ）には、加圧ブロック６２４のベルト押出部６２８によって用紙の端部が押し出された状態が示されている。用紙上の先行部分Ｐ１がニップ領域に挟まれているとき、その先行部分Ｐ１に続く後続部分Ｐ２は、加圧ブロック６２４のベルト押出部６２８によって図の左右の端部が図の上方側（即ち定着ロール６１側）に押し出されている。この結果、図７のパート（Ａ）に示す曲げ変形は、ニップ領域の近傍に限定され、上述したように、後続部分Ｐ２では用紙はほぼ平坦になっている。このため、用紙の後端側が図の上方側に引かれても、用紙は容易に曲がって皺は発生しない。
【００４８】
なお、ベルト押出部６２８による押し出しは、央部よりも端部の方が大きいならば、必ずしも用紙が平坦に至る必要はない。ニップ領域での曲がり変形よりも緩やかになればその分だけ用紙のコシが押さえられて皺も抑制されるからである。また、ベルト押出部６２８による端部の押し出しは、用紙が図の下方側に凸となる位に大きくてもよい。上述した用紙のコシは、用紙の凹側への曲がりについては妨げとならないからである。
【００４９】
以下、本発明の第２実施形態について説明する。この第２実施形態の画像形成装置および定着器は、加圧構造体の構造が異なる点を除くと、上述した第１実施形態と同様の画像形成装置および定着器であるので、以下では加圧構造体の構造に着目して説明する。また、第１実施形態と同様の構成部分については同一の符号を付して重複説明を省略する。
【００５０】
図８は、本発明の第２実施形態における加圧構造体の構造を示す分解斜視図である。
【００５１】
第２実施形態における加圧構造体６９では、支持部材６２３が台座６９１を支持しており、台座６９１には板バネ６９２が搭載されている。板バネ６９２がベルト６２１を内部から押すことでベルト６２１は定着ロール６１（図２参照）に押し付けられる。この板バネ６９２が本発明にいう押付部材の一例に相当する。
【００５２】
板バネ６９２によってベルト６２１が定着ロール６１に押し付けられることで、加圧構造体６２と定着ロール６１との間にはニップ領域が形成される。この板バネ６９２による押し付けでも、定着ロール６１およびニップ領域には、図６に示す撓みと同様の撓みが生じる。そして、ニップ領域を通過するベルト６２１や用紙には、図７のパート（Ａ）に示すような曲げ変形が生じ、上述したコシも発生する。
【００５３】
図９は、本発明の第２実施形態における定着器の中央部の断面図であり、図１０は、本発明の第２実施形態における定着器の端部の断面図である。
【００５４】
図９，１０に示すように、ニップ領域Ｒは、板バネ６９２と定着ロール６１との間に形成される。この板バネ６９２に対し定着ロール６１の移動方向Ｆおよびベルト６２１の循環移動方向Ｇの上流側で台座６９１の一部が定着ロール６１側に突き出している。そして、その突き出した部分で台座６９１はベルト６２１や用紙を定着ロール６１側に押し出している。台座６９１によるベルト６２１の押し出しは、図１０に示す端部の方が図９に示す中央部よりも大きい。つまり、この台座６９１は、本発明にいう押出部材の一例に相当する。この台座６９１によるベルト６２１や用紙の押し出しにより、図７のパート（Ｃ）に示す状態で紙が定着器に突入することになって用紙の皺が抑制される。
【００５５】
なお、上述した各実施形態では、定着ロールに加熱器が内蔵されているが、本発明にいう熱源は、本発明にいう循環部材の内部に配備されていても良く、あるいは、本発明にいう筒部材および循環部材いずれにも内蔵されず独立に設けられていても良い。
【符号の説明】
【００５６】
１００    プリンタ
１０Ｙ，１０Ｍ，１０Ｃ，１０Ｋ    画像形成部
３０    中間転写ベルト
５０    二次転写器
６０    定着器
６１    定着ロール
６２，６９    加圧構造体
６３    加熱器
６２４    加圧ブロック
６２７    ニップ支持部
６２８    ベルト押出部
６９１    台座
６９２    板バネ
【図１】
0005910225.tif 000002
【図２】
0005910225.tif 000003
【図３】
0005910225.tif 000004
【図４】
0005910225.tif 000005
【図５】
0005910225.tif 000006
【図６】
0005910225.tif 000007
【図７】
0005910225.tif 000008
【図８】
0005910225.tif 000009
【図９】
0005910225.tif 000010
【図１０】
0005910225.tif 000011